(57)【特許請求の範囲】
【請求項１】
自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記開放側ロック手段と前記ヒンジ側ロック手段とを連結するリンク機構とを備え、前記ヒンジ側ロック手段は当該リンク機構を介して前記開放側ロック手段のロック及びロック解除動作に連動してロックおよびロック解除を行うことを特徴とする自動販売機の施錠装置。
【請求項２】
自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段と、前記開放側ロック手段のロック動作及びロック解除動作を検出する検出手段と、当該検出手段の検出結果に基づき前記駆動手段を制御する制御手段とを備え、当該制御手段は前記検出手段が前記開放側ロック手段のロック動作及びロック解除動作を検出したとき前記ヒンジ側ロック手段を駆動してロック及びロック解除するように前記駆動手段を制御することを特徴とする自動販売機の施錠装置。
【請求項３】
自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段とを備え、前記ヒンジ側ロック手段は、扉の開閉動作に連動するものであって、扉を閉じる動作によって扉のヒンジ側部と本体とをロックし、扉を開ける動作によって扉のヒンジ側部と本体とのロックを解除するように構成されていることを特徴とする自動販売機の施錠装置。
【請求項４】
自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段と、前記扉の開閉動作を検出する検出手段と、当該検出手段の検出結果に基づき前記駆動手段を制御する制御手段とを備え、当該制御手段は前記検出手段が前記扉の開閉動作を検出したとき前記ヒンジ側ロック手段を駆動してロック及びロック解除するように前記駆動手段を制御することを特徴とする自動販売機の施錠装置。
【請求項５】
自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段を備え、当該駆動手段はリモコンによる遠隔操作で制御可能に構成されていることを特徴とする自動販売機の施錠装置。
【発明の詳細な説明】
【０００１】
【発明の属する技術分野】
本発明は、悪戯によってなされる自動販売機の扉のこじ開け等を防止するための施錠装置に関する。
【０００２】
【従来の技術】
図１８乃至図２１を用いて、従来からある自動販売機の施錠装置について説明する。
【０００３】
図１８は自動販売機の正面図であり、従来の自動販売機は、図１８に示すように販売商品などを収納する本体３と、本体３に取付けられたヒンジ４にて回動自在に支持され、本体前面を開閉する扉２とが設けられている。扉２には、透明パネル２１によって覆われた展示室２０と、透明パネル２１の前面に取付けられた購入商品を選択指示するための複数の選択ボタン２３と、選択ボタン２３に対応して展示室内２０に配設された複数のサンプル商品２２と、扉２の開放側端部に設けられ扉２を施錠、解錠及び開閉するためのロックレバー２４と、商品を購入する際に金銭を投入する金銭投入口２５と、釣銭を取出すための返却口２６と、購入商品を取出すための商品取出口２７等を備えている。
【０００４】
図１９乃至図２１は自動販売機に従来から設けられている施錠装置を示す図であり、図１９は従来の自動販売機の側面図、図２０は従来から自動販売機に取付けられている施錠装置の正面図、図２１は従来から自動販売機に取付けられている施錠装置の要部平面断面図である。
【０００５】
図１９乃至図２１に示すように、従来から取付けられている開放側の施錠装置（以下開放側ロック機構という）５０は、本体３側にロックプレート５１が取付けられ、扉２の開放側端部にロックプレート５１と係合可能なロックアングル６０とが取付けられ、ロックプレート５１とロックアングル６０との係脱によって扉２の施錠、解錠が行われていた。ロックプレート５１は上面にロックアングル６０と係合する切欠溝５２が形成され、本体3の上下2個所に設けられ、本体３の側面内面に設けられた補強部材７０に取付けられている。一方ロックアングル６０は例えば金属板にて水平断面ほぼコ字状に形成され、上下２箇所に開口部６１を備え、扉２の裏板２００とカバー部材２０１とで囲まれた空間内にて上下動可能に配設されている。そして、ロックアングル６０は、ロックレバー２４と連動して上下するようにロックレバー２４の後端に設けられた回動レバー６２と係合している。
【０００６】
このような構成において、扉２の施錠をする場合には、扉２を閉じる際にロックアングル６０の開口部６１の上端部が図１９に示すロックプレート５１の案内斜面に沿って一旦上方へ移動して、その後切欠溝５２へ導かれて下降することにより、ロックアングル６０とロックプレート５１とが係合する。このようにロックアングル６０とロックプレート５１とが係合した状態でロックレバー２４を図示しないカギでロックすれば扉２の施錠が完了する。
【０００７】
扉２を開放する場合には、図示しないカギでロックレバー２４のロックを解除してロックレバー２４を反時計回りに回動してロックアングル６０を上方に移動することにより、ロックアングル６０とロックプレート５１との係合を外し、その状態を維持しつつ扉２を前方に引くことで扉２を開放することができる。このような構成の施錠装置すなわちロック機構を備えた自動販売機については、例えば特開平８−２１２４４３号公報等に開示されている。
【０００８】
【発明が解決しようとする課題】
しかしながら、このような従来からあるロック機構においては、扉２の開放側端部の施錠は施錠装置によって行うことができるが、扉２の開放側端部とは反対側の端部であり、ヒンジが設けられて本体３に回動自在に支持されているヒンジ側端部においては、施錠装置等悪戯に対応した構造が施されていない。このため、本体３とヒンジ側端部との隙間に例えばバール等の先端が差し込まれ、扉２や本体３が大きく破損される、或いはヒンジが破損され、ヒンジ側端部から扉２がこじ開けられる虞があった。
【０００９】
本発明は、こうした課題を解決するためになされたものであり、悪戯行為による扉のこじ開け、特にヒンジ側端部からの扉のこじ開けを確実に防止することのできる自動販売機の施錠装置を提供するものである。
【００１０】
【課題を解決するための手段】
請求項１の発明に係る自動販売機の施錠装置は、自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記開放側ロック手段と前記ヒンジ側ロック手段とを連結するリンク機構とを備え、前記ヒンジ側ロック手段は当該リンク機構を介して前記開放側ロック手段のロック及びロック解除動作に連動してロックおよびロック解除を行うことを特徴とするものである。
【００１１】
この構成によれば、ヒンジ側部においてもヒンジ側ロック手段によって扉と本体とがロックされているので、例えば、ヒンジ側から扉をこじ開けようとしても、このヒンジ側ロック手段によって、扉のこじ開けを阻止することができる。 また、ヒンジ側ロック手段はリンク機構によって開放側ロック手段に連動して作動するので、ヒンジ側ロック手段のロック操作を別個に行う必要がなく、従来と同様の施錠操作でヒンジ側のロックを行うことができる。
【００１２】
請求項２の発明に係る自動販売機の施錠装置は、自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段と、前記開放側ロック手段のロック動作及びロック解除動作を検出する検出手段と、当該検出手段の検出結果に基づき前記駆動手段を制御する制御手段とを備え、当該制御手段は前記検出手段が前記開放側ロック手段のロック動作及びロック解除動作を検出したとき前記ヒンジ側ロック手段を駆動してロック及びロック解除するように前記駆動手段を制御することを特徴とする。
【００１３】
この構成によれば、ヒンジ側ロック手段は駆動手段によって開放側ロック手段の動作に応じて作動するので、ヒンジ側ロック手段のロック操作を別個に行う必要がなく、従来と同様の施錠操作でヒンジ側のロックを行うことができるとともに、リンク機構等によって開放側ロック手段とヒンジ側ロック手段とを連結する必要がない。
【００１４】
請求項３の発明に係る自動販売機の施錠装置は、自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段とを備え、前記ヒンジ側ロック手段は、扉の開閉動作に連動するものであって、扉を閉じる動作によって扉のヒンジ側部と本体とをロックし、扉を開ける動作によって扉のヒンジ側部と本体とのロックを解除するように構成されていることを特徴とする。
【００１５】
この構成によれば、ヒンジ側ロック手段は、扉の開閉動作によって作動するのでヒンジ側ロック手段のロック操作を別個に行う必要がなく、従来と同様の扉開閉操作でヒンジ側のロック及びロック解除を行うことができる。
【００１６】
請求項４の発明に係る自動販売機の施錠装置は、自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段と、前記扉の開閉動作を検出する検出手段と、当該検出手段の検出結果に基づき前記駆動手段を制御する制御手段とを備え、当該制御手段は前記検出手段が前記扉の開閉動作を検出したとき前記ヒンジ側ロック手段を駆動してロック及びロック解除するように前記駆動手段を制御することを特徴とする。
【００１７】
この構成によれば、ヒンジ側ロック手段は駆動手段によって開放側ロック手段の動作に応じて作動するので、ヒンジ側ロック手段のロック操作を別個に行う必要がなく、従来と同様の扉開閉操作でヒンジ側のロックを行うことができるとともに、ヒンジ側ロック手段と扉の動作とを連動させるためのリンク機構等を設ける必要がない。
【００１８】
請求項５の発明に係る自動販売機の施錠装置は、自動販売機の本体と、当該本体にヒンジにて回動自在に枢支され前記本体の前面を開閉する扉と、当該扉を閉じた状態で扉の開放側部と前記本体とをロック可能な開放側ロック手段と、前記扉を閉じた状態で扉のヒンジ側部と前記本体とをロック可能なヒンジ側ロック手段と、前記ヒンジ側ロック手段を駆動する駆動手段を備え、当該駆動手段はリモコンによる遠隔操作で制御可能に構成されていることを特徴とする。
【００１９】
この構成によれば、ヒンジ側ロック手段のロック及びロック解除操作が極めて簡単に行える。さらに、開放側ロック手段とヒンジ側ロック手段とが連動しないので、万一開放側ロック手段が破壊された場合でも、ヒンジ側ロック手段によって扉の回動が阻止されるので悪戯による扉の開放を阻止することができる。
【００２０】
【発明の実施の形態】
以下、図面に基づいて、本発明の第１の実施形態を詳細に説明する。図１は、本発明の施錠装置を備えた自動販売機の要部斜視図、図２は図１に示した自動販売機におけるＡ−Ａ線平面断面図、図３は施錠装置に係るロック機構の概略斜視図である。なお、従来の自動販売機の構成と同様のものについては、従来の技術にて説明した符号と同一符号を付し、その詳細な説明は省略する。
１０は本発明の施錠装置に係るヒンジ側ロック機構であり、このヒンジ側ロック機構１０は自動販売機のヒンジ側端部の例えば上部に設けられ、本体３のヒンジ側端部に取付けられたロックプレート１１と、このロックプレート１１に対応して扉２のヒンジ側端部に取付けられた施錠部材１２とから構成されている。ロックプレート１１は、例えば矩形の金属板をＬ字状に折曲したものであり、本体３に取付けられた補強部材７０に取付けられている。さらに、ロックプレート１１は、補強部材７０に例えば溶接により固定された取付片１３とこの取付片１３の前端からほぼ直角に内側へ折曲している支持片１４とを備え、支持片１４には図２及び図３に示したように開口１５が形成されている。
【００２１】
施錠部材１２は例えばシリンダーロック１６と、このシリンダーロック１６の後端に取付けられた回動レバー１７とを備え、シリンダーロック１６の前端は扉２の側面に露出し、前部が扉２の外板２５に支持され、前面にはカギの挿入口１８が形成されている。回動レバー１７の先端はほぼ直角に折曲し、支持片に係合する係合片（可動部材）１９が形成されている。
【００２２】
なお、本体３及び扉２の開放側端部には、図１８乃至図２１において説明した開放側ロック機構５０が同様に取付けられている。
【００２３】
このように構成されたヒンジ側ロック機構１０において、自動販売機の扉２を閉め施錠する場合には、上記従来の技術の説明において説明した施錠動作と同様に、扉２を閉じる際にロックアングル６０の開口部６１の上端部がロックプレート５１の案内斜面に沿って一端上方へ移動して、その後切欠溝５２へ導かれて下降し、ロックアングル６０とロックプレート５１とが係合する。このようにロックアングル６０とロックプレート５１とが係合した状態でロックレバーをカギでロックすれば扉２の開放側端部の施錠が完了する。
【００２４】
ヒンジ側端部においては、扉２を閉じ開放側端部の施錠が完了した後、ヒンジ側ロック機構１０によって施錠を行う。すなわち、図３に示したようにカギ１１１を挿入口１８へ挿入し、矢印１１２にて示したように反時計回りに回動することのより、回動レバー１７も反時計回りに回動する。そして、破線にて示したように係合片１９が開口１５から差し込まれ、支持片１４に係合する。また、この状態で、シリンダーロック１６がロックされ、扉２のヒンジ側端部の施錠も完了する。
【００２５】
また、上記のように開放側端部及びヒンジ側端部の両方が施錠されている状態にて自動販売機への商品の補充などのために扉２を開く場合には、ヒンジ側端部のロック機構１２を解錠する。すなわち、シリンダーロック１６にカギを挿し込むことによりシリンダーロック１６のロック状態が解除される。そしてキーを施錠時と反対の時計回りに回すことにより、回動レバー１７が時計回りに回動する。 このため、図３に示したように回動レバー１７が開口１５から外れ、回動レバー１７と支持片１４との係合がなくなる。この状態で、扉２のヒンジ側端部が解錠される。
【００２６】
扉２の開放側端部では、上記従来の技術にて説明したように、カギでロックレバーのロックを解除してロックレバーを反時計回りに回動してロックアングル６０を上方に移動することにより、ロックアングル６０とロックプレート５１との係合を外し、その状態を維持しつつ扉２を前方に引くことで扉２を開放することができる。
【００２７】
以上のように、扉２の施錠時には、従来からある開放側端部の施錠ばかりでなく、ヒンジ側端部においても、ヒンジ側ロック機構１０によって扉２と本体３とが施錠されているので、例えば、深夜などにバールなどを扉と本体３との間に差し込み、ヒンジ側から扉２をこじ開けようとしても、ロックプレート１１と回動レバー１７との係合によって、こじ開けを未然に阻止することができる。また、悪戯によって、自動販売機のヒンジ４の図示しないピンが切られたり、壊されたりした場合にも、扉２をヒンジ側端部から開けるにはさらにヒンジ側ロック機構１０を壊す必要があり、更なる悪戯をあきらめさせることもできる。さらに、悪戯によって、自動販売機のヒンジ４の図示しないピンが切られたり、壊されたりして扉２の上部が本体３から外れた場合にも、扉２が倒れることをヒンジ側ロック機構１０のロックプレート１１と回動レバー１７との係合によって回避することができる。また、施錠部材１２のシリンダーロック１６の前端は目立たない扉２の側面に露出し、自動販売機の扉２の前面には露出していないので、シリンダーロック１６への悪戯を極力防止することができるとともに、シリンダーロック１６が扉前面の商品広告などの妨げになることを回避することもできる。なお、本実施形態において、シリンダーロック１６を設けないで、回動レバー１７を他の実施形態に示したようにリンク機構によって開放側ロック機構５０と連結し、開放側ロック機構５０の操作によってロックプレート１１と回動レバー１７とを係合及び解除させることようにし、操作性を向上させても良い。
【００２８】
次に、本発明の第２の実施形態について、図４乃至図７に基づいて説明する。図４は扉側のロック機構を説明する扉２要部の概略垂直断面図、図５はヒンジ側端部のロック機構を説明するヒンジ側端部の概略平面断面図、図６は本体側のロック機構を説明する自動販売機の上部概略斜視図、図７はロック機構の係合状態を説明する自動販売機の要部切欠斜視図である。なお、図４乃至図7において図１乃至図３にて説明した扉及び本体と同様な構成のものには同様な符号を付し、その詳細な説明は省略し、また、図２１におけるロックレバー２４及び回動レバー６２等の記載は省略する。
【００２９】
３０は扉２のヒンジ側端部に設けられたヒンジ側ロック機構であり、扉２の側壁に沿って設けられた可動部材であるロックアングル３１と、本体３のヒンジ側端部前面から前方へ突出したフランジ部３２に取付けられた固定部材であるロックプレート３３とを備えている。ロックアングル３１は例えば金属板にて水平断面ほぼコの字状に形成され、上部及ぶ下部にそれぞれ一対のスリット状の開口３４が形成されている。また、ロックアングル３１の下端には例えばコイルスプリングなどのバネ３１１の一端が取付けられ、バネ３１１の他端は扉２本体の適所に取付けられている。
【００３０】
ロックプレート３３は開口３４に対応してフランジ部３２の内面上部及び下部に例えば溶接あるいはビスにて固定され、固定板３５とこの固定板から扉方向へ折曲した係合片（固定部材）３６とを備えている。係合片３６の上部及び下部には、係合爪３７が形成され、各係合爪３７の下面には下向きの係合溝３８が形成されている。
【００３１】
４０は開放側ロック機構５０のロックアングル６０の上端部とヒンジ側ロック機構３０のロックアングル３１上端部との間に渡され、それぞれのロック機構を連結するリンク機構である。リンク機構４０はロックアングル６０の上端部に接続された第１のリンク４２と、ヒンジ側ロック機構の上端部に接続された第2のリンク４３と、第１、第２のリンク４２、４３の間に渡された接続アングル４４とを備えている。第１、第２のリンク４２、４３及び接続アングル４４はそれぞれピン４５によって回動自在に接続されている。また、接続アングル４４は扉２の上縁に沿って複数の支持部材４６によって支持されている。これらの支持部材４６は接続アングル４４が水平方向に摺動するように例えば扉２の外板内面に取付けられている。
【００３２】
このように構成されたヒンジ側ロック機構３０、開放側ロック機構５０及びリンク機構４０において、自動販売機の扉２を閉め施錠する場合には、上記従来の技術の説明及び実施形態において説明した施錠動作と同様に、扉２を閉じる際にロックアングル６０の開口部６１の上端部が図示しないロックプレートの案内斜面に沿って一端上方へ移動して、その後切欠溝へ導かれて下降し、ロックアングル６０が図４に実線矢印７１にて示したように下方へ摺動し、ロックアングル６０とロックプレートとが係合する。また、回動レバー６２は図４の実線矢印７２のように回動し、このようにロックアングル６０とロックプレート５１とが係合した状態でロックレバーをカギでロックすれば扉２の開放側端部の施錠が完了する。
【００３３】
上記ロックアングル６０の下方への摺動は、第１、第２リンク４２、４３及び接続アングル４４によってヒンジ側ロックアングル３１に伝わり、接続アングル４４は実線矢印７３に示したように右方向へ水平に摺動し、ヒンジ側ロックアングル３１は図４及び図７に実線矢印７４に示したように上方へ摺動する。ヒンジ側ロックアングル３１の移動に伴い、開口３４の下縁がロックプレート３３の係合爪３７の係合溝３８に入り込み、ヒンジ側ロックアングル３１とロックプレート３３とが係合し、ヒンジ側端部の施錠も完了する。このとき、ヒンジ側ロックアングル３１には下端からバネ３１１によって実線矢印３１２のように縮み方向へ力が加わり、上記ヒンジ側ロックアングル３１とロックプレート３３との係合を確実に保持することができる。
【００３４】
また、施錠された扉２を解錠して開く場合には、上記従来の技術の説明及び実施形態において説明した解錠動作と同様に、まずカギによってロックレバー２４を解錠し、ロックレバー２４を回動すると回動レバー６２は図４の破線矢印７５のように回動する。回動レバー６２の回動によってロックアングル６０が図４に破線矢印７６にて示したように上方へ摺動し、ロックアングル６０とロックプレートとの係合が解かれ、扉２の開放側端部が解錠される。
【００３５】
上記ロックアングル６０の上方への摺動は、第１、第２リンク４２、４３及び接続アングル４４によってヒンジ側ロックアングル３１に伝わり、接続アングル４４は破線矢印７７に示したように左方向へ水平に摺動し、ヒンジ側ロックアングル３１は図４及び図７に破線矢印７８に示したように下方へ摺動する。このとき、バネ３１１は破線矢印３１３に示したように引かれて伸び、ヒンジ側ロックアングル３１の移動に伴い、開口３４の下縁がロックプレート３３の係合爪３７の係合溝３８から外れ、ヒンジ側ロックアングル３１とロックプレート３３との係合も解かれ、ヒンジ側端部の解錠も完了する。
【００３６】
この状態にて、扉２を開くことが可能になり、商品の補充、管理データの収集等が行われる。
【００３７】
上記実施の形態に示したように、扉２のヒンジ側端部にはヒンジ側ロック機構３０が設けられ、開放側ロック機構５０とヒンジ側ロック機構３０とがリンク機構４０によって連結され、ヒンジ側ロック機構３０の施錠、解錠に伴いヒンジ側ロック機構３０もリンク機構４０を介して施錠、解錠されるため、扉２の施錠時には、従来からある開放側端部施錠ばかりでなく、ヒンジ側端部においても、上記実施形態と同様にヒンジ側ロック機構３０によって扉２と本体３とが施錠されているので、例えば、深夜などのバールなどによる扉２のこじ開け、扉２あるいは本体３の大幅な破損をロックアングル３１とロックプレート３３との係合によって防止することができる。
【００３８】
また、悪戯によって、自動販売機のヒンジ４の図示しないピンが切られたり、壊されたりした場合にも、扉２をヒンジ側端部から開けるにはさらにヒンジ側ロック機構３０を壊す必要があり、更なる悪戯をあきらめさせることもできる。さらに、悪戯によって、自動販売機のヒンジ４の図示しないピンが切られたり、壊されたりして扉２の上部が本体３から外れた場合にも、扉２が倒れることをヒンジ側ロック機構３０のロックアングル３１とロックプレート３３との係合によって回避することができる。
【００３９】
また、施錠時及び解錠時には開放側ロック機構５０を動作させて、施錠及び解錠するのみで、自動的にヒンジ側ロック機構３０も施錠及び解錠することができ、この結果、施錠及び解錠時の操作性を維持しつつ、ヒンジ側端部へのこじ開け等の悪戯を防止することができる。
【００４０】
さらに、リンク機構４０を介して移動するヒンジ側ロック機構３０のロックアングル３１によって、ロックプレート３３との係合及び係合の解除が行われ、構成の簡略化を図りつつ、施錠時の施錠を確実にすることができる。また、リンク機構４０を扉２の周縁に沿って設けているので、扉２に設けられてサンプル缶を備えた展示室あるいは選択ボタン等の内部機構のスペースを確保することができる。
【００４１】
次に、本発明の第３の実施の形態について、図８乃至図１０に基づいて説明する。図８はヒンジ側ロック機構８０を説明する自動販売機の側面図、図９はヒンジ側ロック機構８０の要部側面図であり、（ａ）は上部のロック機構、（ｂ）は下部のロック機構を示す図である。図１０はヒンジ側のロック機構８０の要部正面図である。なお、従来の技術で説明した構成及び第１、第２の実施の形態で説明した構成と同様の構成には同一の符号を付している。
図８乃至図１０に示すように、本実施の形態のヒンジ側ロック機構８０は、扉２のヒンジ側背面フランジ２１０の上下に取付られた可動部材８１と、この可動部材８１に対応して本体３のヒンジ側内壁３１０の上下に取付られた押し出し部材８２と、可動部材８１に対応して天面補強板３００と底板３２０とに形成され可動部材８１が挿入可能に開口した係合孔３０１とを備えて構成されており、この天面補強板３００と底板３２０とに形成された係合孔３０１が固定部材として作用する。
【００４２】
可動部材８１は金属の成形板材であって、中央の上下方向に長孔８１ｂが形成され、またその内側（上側の可動部材８１は下側、下側の可動部材８１は上側）の端部には図１０に示すように傾斜面８１ａが形成され先端が鋭角となっている。また外側（上側の可動部材８１は上側、下側の可動部材８１は下側）の端部には、切欠形成されたフック部８１ｃが形成されている。そして、可動部材８１は扉２から延出し長孔８１ｂ内に進入した２本のピン２１１によって上下方向移動可能に支持されているとともに、上下の移動範囲が規制されている。また、この上下の可動部材８１はコイルバネ８４で常時内方（上側の可動部材８１は下方、下側の可動部材８１は上方）に引っ張られた状態になっている。
【００４３】
押し出し部材８２は金属または樹脂の成形板材であって、外側（上側の押し出し部材８２は上側、下側の押し出し部材８２は下側）の端部には図１０に示すように傾斜面８２ａが形成され先端が鋭角になっている。このように構成されたヒンジ側ロック機構８０において、ヒンジ側ロック機構８０のロック動作について説明する。まず、扉２を開放した状態では上下の可動部材８１はコイルバネ８４によって内方（上側の可動部材８１は下方、下側の可動部材８１は上方）に付勢され可動部材８１の外側（上側の可動部材８１は上側、下側の可動部材８１は下側）の端部は本体３の天面補強板３００や底板３２０に当接しない位置にある。そして、扉２を閉じるとき、扉２が閉じる間際に上下の可動部材８１はそれぞれ上下の押し出し部材８２に当接し、更に扉２を閉じることによって可動部材８１は、押し出し部材８２との互いの傾斜面８１ａ、８２ａに沿って外方（上側の可動部材８１は上方、下側の可動部材８１は下方）に押し出される。押し出された上下の可動部材８１の外側（上側の可動部材８１は上側、下側の可動部材８１は下側）の端部はそれぞれ天面補強板３００の係合孔３０１と底板３２０の係合孔３０１内に入り込み、ヒンジ４側において扉２と本体３とのロックが成される。このとき、図９（ａ）、（ｂ）に示すように可動部材８１のフック部８１ｃが係合孔３０１と同位置になるように構成されているため、悪戯行為によってヒンジ４側から扉２を強引にこじ開けようとしても、ヒンジ４側が開かれるとフック部８１ｃが係合孔３０１の端面に引っかかるのでこじ開けが阻止される。
次に、扉２を開放する際には、ヒンジ側ロック機構８０は上述した扉２を閉じるときの動作と逆の動作をする。すなわち、開放側ロック手段を解除して扉２を僅かに開くことによって可動部材８１と押し出し部材８２とが離れるため上下の可動部材８１はコイルバネ８４の引っ張り力によって内方（上側の可動部材８１は下方、下側の可動部材８１は上方）に移動してロックが解除される。なお、係合孔３０１は挿入される可動部材８１に対して大きめに開口しており、開放側から扉２を僅かに開いた状態ではフック部８１ｃが係合孔３０１の端部に引っかからないように構成している。このためフック部８１ｃがロック及びロック解除動作の障害になることはない。
【００４４】
このように第３の実施の形態に示す構成によれば、ヒンジ側ロック機構８０は、扉２の開閉動作によって作動するのでヒンジ側ロック機構８０のロック操作を別個に行う必要がなく、従来と同様の扉２の開閉操作のみでヒンジ４側のロック及びロック解除を行うことができる。
【００４５】
以下、本発明の第４の実施の形態について、図１１乃至図１７に基づいて説明する。図１１はヒンジ側ロック機構９０を説明する自動販売機の側面図、図１２はヒンジ側ロック機構９０の要部側面図であり、（ａ）は上部のロック機構、（ｂ）は下部のロック機構を示す図である。図１３はヒンジ側のロック機構９０の要部正面図である。そして、図１４は検出スイッチの検出結果をもとにソレノイドを制御する制御系のブロック図、図１５は検出スイッチの配置例を示すための開放側ロック機構の正面図である。また、図１６は検出スイッチの他の配置例を示すための要部平面断面図、図１７はリモコンからの信号をもとにソレノイドを制御する制御系のブロック図である。
なお、従来の技術で説明した構成及び第１乃至第３の実施の形態で説明した構成と同様の構成には同一の符号を付している。
【００４６】
図１１乃至図１３に示すように、本実施の形態のヒンジ側ロック機構９０は、扉２のヒンジ４側背面フランジ２１０の上下に取付られた可動部材９１と、この上下の可動部材９１の各々に接続された駆動手段としてのソレノイド９２と、可動部材９１に対応して本体３の天面補強板３００と底板３２０とに形成され可動部材９１が挿入可能に開口した係合孔３０１とを備えて構成されている。
【００４７】
可動部材９１は金属の成形板材であって、中央の上下方向に長孔９１ｂが形成され扉２から延出し長孔９１ｂ内に進入した２本のピン２１１によって上下方向移動可能に指示されているとともに、上下の移動範囲が規制されている。
【００４８】
ソレノイド９２は後述する制御部１００によって制御されるものであって、非通電時には図示しないバネによってプランジャー９２ａが突出した状態に付勢されており、通電がなされるとプランジャー９２ａが引っ張られるように構成されている。
こうした構成のヒンジ側ロック機構９０において、まず検出スイッチ１０１によって開放側ロック機構５０の動作を検出して、この検出結果をもとにヒンジ側ロック機構９０を駆動制御するようにした例を示す。この場合、図１５に示すように開放側ロック機構５０のロックアングル６０の上下動を検出する検出スイッチ１０１を設け、図１４に示すようにこの検出スイッチ１０１の信号に応じて制御部１００がソレノイド９２への通電を制御するように制御系を構成している。そして、扉２を閉じて開放側ロック機構５０がロックした状態、すなわち図１５に示すようにロックアングル６０が下方に位置する時は検出スイッチ１０１はオフの状態であり、制御部１００はソレノイド９２には通電しない。このとき図１２の如く、ソレノイド９２のプランジャー９２ａは図示しないバネによって外方（上側の可動部材９１は上方、下側の可動部材９１は下方）に付勢されているので上下の可動部材９２を外方（上側の可動部材９１は上方、下側の可動部材９１は下方）に押し出している。このとき、可動部材９１の先端部が係合孔３０１内に入りこみ扉２のヒンジ４側がヒンジ側ロック機構９０によってロックされた状態となる。
次に、この扉２を開くときには、開放側ロック機構５０のロックを解除すると、ヒンジ側ロック機構９０のロックも解除される。すなわち、図１５に示す状態から開放側ロック機構５０のロックレバー２４が反時計回りに回動されてロックアングル６０が上方に持ち上げられると、検出スイッチ１０１がオン（図１５の破線の状態）する。制御部１００はこのオン信号に基づきソレノイド９２に通電する。このとき通電されたソレノイド９２は、図１２に示す状態からプランジャー９２ａを内方に引くため上下の可動部材９１も内方（上の可動部材９１は下方、下の可動部材９１は上方）に引かれて可動部材９１が係合孔３０１から抜けだし、ヒンジ４側のロックが解除される。
【００４９】
このように、開放側ロック機構５０の動作を検出して、この検出結果をもとにヒンジ側ロック機構９０を駆動制御するようにした本例によれば、ヒンジ側ロック機構９０は開放側ロック機構５０の動作に応じて作動するので、ヒンジ側ロック機構９０のロック操作を別個に行う必要がなく、従来と同様の開放側ロック機構５０のロック操作でヒンジ４側のロックを行うことができる。また、リンク機構等によって開放側ロック機構５０とヒンジ側ロック機構９０とを連結する必要がないので部品個数を少なく構成できる。
【００５０】
次に、図１２に示すヒンジ側ロック機構９０において、検出スイッチ１０１によって扉２の開閉動作を検出して、この検出結果をもとにヒンジ側ロック機構９０を駆動制御するようにした例を示す。
この場合、制御系を前例と同様に図１４に示す如く構成するとともに、図１６に示すように検出スイッチ１０１を本体３の補強部材７０に取付けて扉２を閉じたときに扉２の裏板２００に当接するようにして扉２の開状態と閉状態とを検出できるようにする。すなわち、扉２を閉じた時には検出スイッチ１０１がオフし、扉２を開いたときには検出スイッチ１０１がオンするように構成している。このように検出スイッチ１０１を構成することによって、扉２を閉じたときには検出スイッチ１０１はオフの状態であり、図１４に示す制御部１００はソレノイド９２には通電しない。ソレノイド９２のプランジャー９２ａは図示しないバネによって外方に付勢されているので、非通電の時は図１２に示すように上下の可動部材９１を外方（上側の可動部材は下側、下側の可動部材は上側）に押し出している。このとき、可動部材９１の先端部は係合孔３０１内に入り込んでいるため、扉２のヒンジ４側がロックされた状態となっている。そして、この扉２を開くときには、開放側ロック機構５０を解除し、扉２を僅かに開くことによって図１６の破線に示すように検出スイッチ１０１が扉２の裏板２００から離れてオン状態となり制御部１００はこのオン信号に基づきソレノイド９２に通電する。ソレノイド９２はこの通電によって、プランジャー９２ａを内方に引くため上下の可動部材９１も内方（上の可動部材は下方、下の可動部材は上方）に引かれて可動部材９１が係合孔３０１から抜けだし、ヒンジ４側のロックが解除される。
なお、係合孔３０１は挿入される可動部材９１に対して大きめに開口しており、開放側から扉２を僅かに開いた状態ではフック部９１ｃが係合孔３０１の端部に引っかからないように構成している。このためフック部９１ｃがロック及びロック解除動作の障害になることはない。
【００５１】
このように、本例によれば、ヒンジ側ロック機構９０は、扉２の開閉動作によって作動するのでヒンジ側ロック機構９０のロック操作を別個に行う必要がなく、従来と同様の扉２の開閉操作のみでヒンジ４側のロック及びロック解除を行うことができる。
【００５２】
次に、図１２に示すヒンジ側ロック機構９０においてソレノイド９２をリモコンによる遠隔操作で制御するように構成した例について示す。
この場合、図１７に示すように、赤外線または超音波を発信するリモコン１１２と、このリモコン１１２の信号を受信する受信機１１１と、この受信機１１１の受信に応じてソレノイド９２への通電を制御する制御部１１０とを備えて構成している。受信機１１１は外部からのリモコン１１２の信号が受信できるように例えば扉２の前面等に配設する。こうした構成において制御部１１０は、受信機１１１がリモコン１１２からのロック解除信号を受信したときにソレノイド９２に通電し、受信機１１１がリモコン１１２からのロック信号を受信したときにソレノイド９２の通電を停止するように通電制御する。すなわち、扉２を閉じた状態でリモコン１１２がロック信号を発信すればソレノイド９２の通電が停止しプランジャー９２ａの図示しないバネによって、図１２に示す如く上下の可動部材９１が外方（上側の可動部材９１は上方、下側の可動部材９１は下方）に押し出され、上下の可動部材９１が上下の係合孔３０１に入り込むことによりヒンジ側ロック機構９０がロックする。一方リモコン１１２がロック解除信号を発信すればソレノイド９２に通電されて上下の可動部材９１を内方（上側の可動部材９１は下方、下側の可動部材９１は上方）に引っ張るので上下の可動部材９１が上下の係合孔３０１から抜け出ることによりヒンジ側ロック機構９０のロックが解除できるものである。
【００５３】
したがって、この構成によれば、ヒンジ側ロック機構９０のロック及びロック解除操作が離れた場所からでも可能であり、極めて簡単に行える。さらに、開放側ロック機構５０とヒンジ側ロック機構９０とが連動しないので、万一開放側ロック機構５０が破壊された場合でも、ヒンジ側ロック機構９０によって扉２の回動が阻止されるので悪戯による扉２の開放を阻止することができる。
なお、上記第４の実施の形態においてヒンジ側ロック手段９０を駆動するための駆動手段としてソレノイドを用いた例を説明したが、もちろん駆動手段はソレノイドに限られたものではなく、モータ等の別の駆動装置を用いても同様に構成することが容易に可能である。
また、上記第１乃至第４の実施の形態では、ヒンジ側ロック手段１０、３０、８０、９０を扉２のヒンジ端部に設けた例を示したが、ヒンジ側ロック手段１０、３０、８０、９０によるロックの位置は特に端部でなくても良く、ヒンジ側であれば扉２の左右方向中央に近い部分と本体３とをロックするように構成してもヒンジ４側からのこじ開けを阻止することができる。
【００５４】
また、本発明は、上記第１乃至第４の実施形態に限定されるものではなく、例えば、ヒンジ側ロック機構１０、３０、８０、９０を扉２及び本体３のヒンジ４側端部に複数箇所設けることにより、上記悪戯等を一層確実に阻止することができる。
【００５９】
【発明の効果】
以上に説明したように、本発明によれば、ヒンジ側部においても、ヒンジ側ロック手段によって扉と本体とがロックされているので、ヒンジ側から扉をこじ開けようとしても、このヒンジ側ロック手段によって、扉のこじ開けを阻止することができる。また、可動部材と固定部材とが係合することによりロックが成されているので、仮にヒンジが破壊されてもこの係合が解除されない限り扉は開かず、簡単な構成で扉のこじ開けを確実に阻止することができる。
【図面の簡単な説明】
【図１】  本発明の第１の実施の形態に係る施錠装置を備えた自動販売機の要部斜視図である。
【図２】  図１に示した第１の実施の形態に係る自動販売機におけるＡ−Ａ線平面断面図である。
【図３】  第１の実施の形態に係る自動販売機の施錠装置に係るロック機構の概略斜視図である。
【図４】  第２の実施の形態に係る扉側のロック機構を説明する扉要部の概略垂直断面図である。
【図５】  第２の実施の形態に係るヒンジ側端部のロック機構を説明するヒンジ側端部の概略平面断面図である。
【図６】  第２の実施の形態に係る本体側のロック機構を説明する自動販売機の上部概略斜視図である。
【図７】  第２の実施の形態に係るロック機構の係合状態を説明する自動販売機の要部切欠斜視図である。
【図８】  第３の実施の形態に係るヒンジ側のロック機構８０を説明する自動販売機の側面図である。
【図９】  第３の実施の形態に係るヒンジ側のロック機構８０の要部側面図であり、（ａ）は上側の機構、（ｂ）は下側の機構を示す図である。
【図１０】  第３の実施の形態に係る上側のヒンジ側のロック機構８０の要部正面図である。
【図１１】  第４の実施の形態に係るヒンジ側のロック機構９０を説明する自動販売機の側面図である。
【図１２】  第４の実施の形態に係るヒンジ側のロック機構９０の要部側面図であり、（ａ）は上側の機構、（ｂ）は下側の機構を示す図である。
【図１３】  第４の実施の形態に係る上側のヒンジ側のロック機構９０の要部正面図である。
【図１４】  第４の実施の形態に係る検出スイッチの検出結果をもとにソレノイドを制御する制御系のブロック図である。
【図１５】  第４の実施の形態に係る検出スイッチの配置例を示すための開放側ロック機構の正面図である。
【図１６】  第４の実施の形態に係る検出スイッチの他の配置例を示すための要部平面断面図である。
【図１７】  第４の実施の形態に係るリモコンからの信号をもとにソレノイドを制御する制御系のブロック図である。
【図１８】  従来の自動販売機の正面図である。
【図１９】  従来の自動販売機の側面図である。
【図２０】  従来から自動販売機に取付けられている施錠装置の正面図である。
【図２１】  従来から自動販売機に取付けられている施錠装置の要部平面断面図である。
【符号の説明】
１…自動販売機、２…扉、３…本体、４…ヒンジ、１０…ヒンジ側ロック機構、１１…ロックプレート、１２…施錠部材、１４…支持片（固定部材）、１９…係合片（可動部材）、３０…ヒンジ側ロック機構、３１…ロックアングル（可動部材）、３３…ロックプレート（固定部材）、４０…リンク機構、４２…第１のリンク、４３…第２のリンク、４４…接続アングル、５０…開放側ロック機構、８０…ヒンジ側ロック機構、８１…可動部材、９０…ヒンジ側ロック機構、９１…可動部材、９２…ソレノイド（駆動手段）、１００…制御部（制御手段）、１０１…検出スイッチ（検出手段）、１１０…制御部（制御手段）、１１２…リモコン、３００…天面補強板（固定部材）、３０１…係合孔（固定部材）、３２０…底板（固定部材）
【図１】
0003684932.tif 000002
【図２】
0003684932.tif 000003
【図３】
0003684932.tif 000004
【図４】
0003684932.tif 000005
【図５】
0003684932.tif 000006
【図６】
0003684932.tif 000007
【図７】
0003684932.tif 000008
【図８】
0003684932.tif 000009
【図９】
0003684932.tif 000010
【図１０】
0003684932.tif 000011
【図１１】
0003684932.tif 000012
【図１２】
0003684932.tif 000013
【図１３】
0003684932.tif 000014
【図１４】
0003684932.tif 000015
【図１５】
0003684932.tif 000016
【図１６】
0003684932.tif 000017
【図１７】
0003684932.tif 000018
【図１８】
0003684932.tif 000019
【図１９】
0003684932.tif 000020
【図２０】
0003684932.tif 000021
【図２１】
0003684932.tif 000022